(57)【特許請求の範囲】
【請求項１】
ドライバーユニットと、
上記ドライバーユニットと一体化された構成を有し、耳殻の周囲全体を支持するループ状の耳掛けハンガーと、
上記耳殻の下方裏側で耳たぶの裏側に当接するよう上記耳掛けハンガーの一部として設けられた所定形状の突起部と、
上記突起部から上記耳殻後方へ引き出されたヘッドホンコードと
を具え、
上記突起部は、その内部空間に上記ヘッドホンコードが抜け落ちないための結び目部分が収納されている
ヘッドホン装置。
【発明の詳細な説明】
【技術分野】
【０００１】
本発明は、ヘッドホン装置に関し、例えば携帯型音楽プレーヤに接続して用いられる耳掛け方式のヘッドホン装置に適用して好適なものである。
【背景技術】
【０００２】
従来、図１に示すように、耳掛け型ヘッドホン装置１００としては、ユーザの耳殻にアーム形状のハンガー部１０１を引っ掛けるようにして装着するものがある（例えば、特許文献１参照）。
【特許文献１】特開2003-143680公報
【発明の開示】
【発明が解決しようとする課題】
【０００３】
ところでかかる構成の耳掛け型ヘッドホン装置１００においては、ハンガー部１０１を頭部に対して強固に保持させるためには当該ハンガー部１０１を硬くする必要があるものの、その場合、ハンガー部１０１自体が硬くなるために装着感が悪くなるという問題があった。
【０００４】
また、かかる構成の耳掛け型ヘッドホン装置１００では、ハンガー部１０１が耳殻の上方だけで保持されているため、外部から強い衝撃が加えられた場合、ハンガー部１０１が撓み、場合によっては耳殻から耳掛け型ヘッドホン装置１００全体が脱落するという問題があった。
【０００５】
さらに、かかる構成の耳掛け型ヘッドホン装置１００では、ユーザがランニングしながら使用される場合、走行中の揺れによってハンガー部１０１が耳殻から外れ、耳掛け型ヘッドホン装置１００全体が脱落するという問題があった。
【０００６】
本発明は以上の点を考慮してなされたもので、従来に比して一段と装着感及び装着安定性に優れた耳掛け型のヘッドホン装置を提案しようとするものである。
【課題を解決するための手段】
【０００７】
かかる課題を解決するため本発明においては、ドライバーユニットと、ドライバーユニットと一体化された構成を有し、耳殻の周囲全体を支持するループ状の耳掛けハンガーと、耳殻の下方裏側で耳たぶの裏側に当接するよう耳掛けハンガーの一部として設けられた所定形状の突起部と、突起部から耳殻後方へ引き出されたヘッドホンコードとを具え、突起部は、その内部空間にヘッドホンコードが抜け落ちないための結び目部分が収納されているようにしたことにより、当該ループ状の耳掛けハンガーにより耳殻の周囲全体が面により支持されることに加えて、あくまで耳掛けハンガーの一部として設けられた突起部が耳たぶの裏側から押し当てられるように当接されるので、装着時の安定感を一段と向上させると共に、装着時のフィット感についても一段と向上させることができ、そのうえ突起部から耳殻後方に引き出されたヘッドホンコードの結び目部分が突起部の内部空間に収納されているので、ヘッドホンコードが引っ張られたときでも抜け落ちることがなく、誤ってヘッドホンコードが引っ張られたときでも破損することを防止することができる。
【発明の効果】
【０００８】
本発明によれば、ドライバーユニットと、ドライバーユニットと一体化された構成を有し、耳殻の周囲全体を支持するループ状の耳掛けハンガーと、耳殻の下方裏側で耳たぶの裏側に当接するよう耳掛けハンガーの一部として設けられた所定形状の突起部と、突起部から耳殻後方へ引き出されたヘッドホンコードとを具え、突起部は、その内部空間にヘッドホンコードが抜け落ちないための結び目部分が収納されているようにしたことにより、当該ループ状の耳掛けハンガーにより耳殻の周囲全体が面により支持されることに加えて、あくまで耳掛けハンガーの一部として設けられた突起部が耳たぶの裏側から押し当てられるように当接されるので、装着時の安定感を一段と向上させると共に、装着時のフィット感についても一段と向上させることができ、そのうえ突起部から耳殻後方に引き出されたヘッドホンコードの結び目部分が突起部の内部空間に収納されているので、ヘッドホンコードが引っ張られたときでも抜け落ちることがなく、誤ってヘッドホンコードが引っ張られたときでも破損することを防止することができ、かくして従来に比して一段と装着感及び装着安定性に優れたヘッドホン装置を実現することができる。
【発明を実施するための最良の形態】
【０００９】
以下、図面について、本発明の一実施の形態を詳述する。
【００１０】
（１）本発明における耳掛け型ヘッドホン装置の構成
図２（Ａ）及び（Ｂ）において、１は全体として、本発明における耳掛け型ヘッドホン装置を示し、ユーザの耳殻の外形に沿うように湾曲されたループ状の耳掛けハンガー２を有し、その耳掛けハンガー２のほぼ中央部分に略逆Ｃ字状に形成された筒状のハウジング３が配置された構成を有している。
【００１１】
そのハウジング３には、そのほぼ中央にドライバーユニット４が設けられており、当該ドライバーユニット４が外耳道に嵌め込まれた際、当該ドライバーユニット４が鼓膜と対向するように配置されている。
【００１２】
耳掛けハンガー２は、例えばポリプロピレン（ＰＰ）や、ポリブチレンテレフタレート（ＰＢＰ）等の合成樹脂からなる弾性体を材料として、人間の耳殻の外形に沿うような湾曲状に成形され、かつ全体として輪状に閉じられたループ状に構成されている。
【００１３】
また耳掛けハンガー２（図２（Ａ））は、ハウジング３が配置されている側の前方アーム部２Ａに対して、ハウジング３が配置されていない側の後方アーム部２Ｂが、耳殻に近付くように捻られており、これにより、装着時、特に後方アーム部２Ｂ全体が耳殻の裏側付根部に当接するようになされている。
【００１４】
すなわち耳掛けハンガー２は、装着時、後方アーム部２Ｂ全体が耳殻裏側付根部に面接触することにより、装着感及び装着安定性を一段と向上させ得るようになされている。
【００１５】
また耳掛けハンガー２は、後方アーム部２Ｂの下方に、耳殻の下方裏側へ突出した突起部５が形成されており、当該突起部５を介してヘッドホンコード６が取り付けられている。
【００１６】
これにより耳掛けハンガー２は、図３に示すように、装着時、後方アーム部２Ｂ全体が耳殻ＥＲ１の耳殻裏側付根部ＥＲ２に面接触することにより当該耳殻ＥＲ１に保持されると共に、突起部５が耳タブの裏側の凹みにフィットすることになり、更に一段と装着感及び装着安定性を向上させ得るようになされている。
【００１７】
因みに、耳掛けハンガー２では、突起部５の内部スペースにヘッドホンコード６が抜け落ちないための結び目が配置されており、当該結び目のためのスペースを別個設けるのではなく、当該突起部５の大きさを結び目の収納スペースとして利用するようになされている。
【００１８】
（２）動作及び効果
以上の構成において、耳掛け型ヘッドホン装置１では、実際ユーザの頭部に装着される際、ループ状の耳掛けハンガー２が耳殻全体に対して引っ掛けられるように取り付けられると共に、ドライバーユニット４が外耳道に嵌め込まれる。
【００１９】
このとき耳掛け型ヘッドホン装置１は、ドライバーユニット４が外耳道に嵌め込まれ、耳掛けハンガー２の後方アーム部２Ｂ全体が耳殻ＥＲ１の耳殻裏側付根部ＥＲ２に面接触すると共に、突起部５が耳タブの裏側の凹みにフィットすることにより、耳殻ＥＲ１全体に対して強固に保持されることになる。
【００２０】
特に耳掛け型ヘッドホン装置１は、耳掛けハンガー２が弾性力のある素材によって形成されているため、ユーザ毎の耳殻における個人差をその弾性力で吸収し、誰にとっても良好な装着感を提供することができる。
【００２１】
また耳掛け型ヘッドホン装置１は、耳掛けハンガー２がループ状の閉じた形状を有しているため、外部から強い衝撃が加えられた場合であっても、耳掛けハンガー２の撓み量を抑制し、耳掛けハンガー２が耳殻ＥＲ１から脱落するリスクを大幅に低減することができる。
【００２２】
なお耳掛け型ヘッドホン装置１は、ユーザがランニングしながら使用した場合であっても、走行中の揺れによって耳掛けハンガー２が耳殻から外れることがなく、耳掛け型ヘッドホン装置１全体が脱落せず、ユーザに対して快適にランニングを続行させることができる。
【００２３】
さらに耳掛け型ヘッドホン装置１は、耳掛けハンガー２の後方アーム部２Ｂに設けられた突起部５から後方へ向かってヘッドホンコード６が出されているため、ユーザにとってヘッドホンコード６が頬に当る等の不快感を与えることがなく、良好な装着感を提供することができる。
【００２４】
なお耳掛け型ヘッドホン装置１は、ヘッドバンドを要することなく、耳掛けハンガー２だけでヘッドバンドを用いたときと同様に強固な装着安定性を得ることができるので、ユーザに対して重量感を与えることなく軽量のまま良好な装着感及び高い装着安定性を提供することができる。
【００２５】
以上の構成によれば、耳掛け型ヘッドホン装置１は、ループ状の耳掛けハンガー２が耳殻ＥＲ１全体を引っ掛けるように取り付けられた場合、耳掛けハンガー２の後方アーム部２Ｂ全体が耳殻ＥＲ１の耳殻裏側付根部ＥＲ２に面接触することにより、耳殻ＥＲ１に対して強固に装着することができる。
【００２６】
（３）他の実施の形態
なお上述の実施の形態においては、耳掛けハンガー２のほぼ中央部分に設けられたハウジングの中央にドライバーユニット４を配置するようにした場合について述べたが、本発明はこれに限らず、ドライバーユニット４の代わりにインナーイヤータイプのイヤーピースを配置するようにしても良い。
【００２７】
また上述の実施の形態においては、耳掛けハンガー２の後方アーム部２Ｂ全体が耳殻ＥＲ１の耳殻裏側付根部ＥＲ２に面接触するようにした場合について述べたが、本発明はこれに限らず、前方アーム部２Ａについても耳殻の前の頬に対して積極的に面接触させるようにしても良い。
【００２８】
さらに上述の実施の形態においては、耳掛けハンガー２をポリプロピレン（ＰＰ）や、ポリブチレンテレフタレート（ＰＢＰ）等の合成樹脂からなる弾性体を材料として形成するようにした場合について述べたが、本発明はこれに限らず、必ずしも合成樹脂からなる弾性体だけでなく、耐食性を有する金属材料や、金属製でありながら弾性力を有する材料によって耳掛けハンガー２を形成するようにしても良い。
【００２９】
さらに上述の実施の形態においては、ドライバーユニットとしてのドライバーユニット４と、耳掛けハンガーとしての耳掛けハンガー２とによって本発明のヘッドホン装置としての耳掛け型ヘッドホン装置１を構成するようにした場合について述べたが、本発明はこれに限らず、その他種々の形状及び構造でなるドライバーユニットと耳掛けハンガーとによって本発明のヘッドホン装置を構成するようにしても良い。
【産業上の利用可能性】
【００３０】
本発明のヘッドホン装置は、携帯型音楽プレーヤに接続して用いられる他、例えば携帯電話機やＰＤＡ(Personal Digital Assistant)、ノートブック型パーソナルコンピュータ等のその他種々の電子機器に接続して用いられるヘッドホン装置に適用することができる。
【図面の簡単な説明】
【００３１】
【図１】従来の耳掛け型ヘッドホン装置の構成を示す略線図である。
【図２】本発明の耳掛け型ヘッドホン装置の構成を示す略線図である。
【図３】装着状態を示す略線図である。
【符号の説明】
【００３２】
１……耳掛け型ヘッドホン装置、２……耳掛けハンガー、２Ａ……前方アーム部、２Ｂ……後方アーム部、３……ハウジング、４……ドライバーユニット、５……突起部、６……ヘッドホンコード、１００……耳掛け型ヘッドホン装置、１０１……ハンガー部。
【図１】
0004482833.tif 000002
【図２】
0004482833.tif 000003
【図３】
0004482833.tif 000004